(57)【要約】【課題】  比較的簡単な構造ながら大型化に対応でき、維持管理も容易で、中和剤の不必要な消耗を減らし、透析機器の洗浄排水を安定的に且つ確実に排水処理できる透析機器洗浄排水の中和処理装置を提供する。【解決手段】  塔内の下部１ａに水切り用簀子板１１を設け、該簀子板１１の下方の塔底部１ｂに液流出管１２を設けると共に、塔上部１ｃに透析機器の洗浄排水６を散水する液分布器１４を設けた塔本体１と、水に溶解して酸性又はアルカリ性を呈する粒状物にして、前記簀子板１１上に充填される固形の中和剤２と、を具備し、該中和剤２を濡らすように前記液分布器１４から透析機器の洗浄排水６を散水して流下させ、該中和剤２の溶解により中和処理をなす。【選択図】  図１
2006187683.tif 000002
【特許請求の範囲】
【請求項１】
塔内の下部に水切り用簀子板を設け、該簀子板の下方の塔底部に液流出管を設けると共に、塔上部に透析機器の洗浄排水を散水する液分布器を設けた塔本体(１)と、
水に溶解して酸性又はアルカリ性を呈する粒状物にして、前記簀子板上に充填される固形の中和剤(２)と、を具備し、該中和剤を濡らすように前記液分布器から透析機器の洗浄排水を散水して流下させ、該中和剤の溶解により中和処理をなすことを特徴とする透析機器洗浄排水の中和処理装置。
【請求項２】
塔内の下部に水切り用簀子板を設け、該簀子板の下方の塔底部に液流出管を設けると共に、塔上部に透析機器の洗浄排水を散水する液分布器を設けた塔本体(１)と、
水に溶解してアルカリ性を呈する粒状物にして、前記簀子板上に充填される固形の中和剤(２)と、
透析機器の洗浄排水用本管の途中に設けられる開閉弁(３)と、
該開閉弁よりも上流側の前記本管から略水平又は下降傾斜して分岐し前記液分布器へ導く上流側分岐管(４)と、
前記液流出管から水平又は下降傾斜して前記開閉弁よりも下流側の前記本管へと接続する下流側分岐管(５)、又は前記液流出管から略水平又は下降傾斜して雑排水管へと接続する下流側分岐管(５)と、を具備し、前記中和剤を濡らすように前記液分布器から透析機器の洗浄排水を散水して流下させ、該中和剤の溶解により中和処理をなすことを特徴とする透析機器洗浄排水の中和処理装置。
【請求項３】
前記中和剤が水酸化マグネシウム又は酸化マグネシウムを主成分とする粒状物からなり、且つ前記液分布器がパイプの下面側に透孔を多数形成した液分配管からなる請求項２記載の透析機器洗浄排水の中和処理装置。
【請求項４】
前記塔本体の外形をその正面板の縦横長さに比べ奥行き幅が狭い略方形体に形成し、且つ該塔本体の外形の奥行き幅の略中間地点を一直線状に１本の前記液分配管が横断するよう配設されてなる請求項３記載の透析機器洗浄排水の中和処理装置。
【発明の詳細な説明】
【技術分野】
【０００１】
本発明は透析機器類の消毒,洗浄排水のpHを中性にする透析機器洗浄排水の中和処理装置に関する。
【背景技術】
【０００２】
人工透析を行う病院,診療所等では透析終了後に、例えば水洗−酸洗浄−水洗−薬洗−水洗といった工程を経る透析機器の消毒,洗浄がなされる。酸洗浄には酢酸などの酸性洗浄水が、薬洗には次亜塩素酸ナトリウムなどのアルカリ洗浄水が用いられる。これに伴って酸性に傾いた洗浄排水やアルカリ性に傾いた洗浄排水が排出される。
また、病院,診療所等によっては酢酸などの酸洗浄のみによる殺菌洗浄も行われ、これに伴い酸性に傾いた洗浄排水が排出される。該透析機器洗浄排水は水質基準内に収まっていないため、中和処理してから下水道へ流されることとなる。本出願人はこの酸性に傾いた透析機器洗浄排水を中和処理する装置を先に提案した（特許文献１参照）。
【０００３】
【特許文献１】特開２００２−２８２８６９公報
【発明の開示】
【発明が解決しようとする課題】
【０００４】
しかるに、特開２００２−２８２８６９公報技術(従来技術１)には次のような問題があった。                           
透析機器洗浄排水の配管途中のラインに半円筒形のpH調節機を組み込んでいるので、２０床程度のベッド数の比較的小規模の病院向けに限られていた。ベッド数の増加と共に配管途中に収めるのが困難になると共に、中和処理が不十分になるときがあった。配管を流れる実際の透析機器洗浄排水は流量,流速が常に変動している。該洗浄排水の流量が少ない場合は配管壁面をつたって流れ落ちることが多く、流量が多くなっても配管内を充満しているケースはともかく、充満してない場合は偏流する傾向にある。pH調節機に至るまでの排水経路がいくつも分岐していたりしているのが原因と考えられるが、そもそもベッド数増加のスケールアップ化が偏流を生まれ易くしている。上階から下階へ垂直配設される透析機器の洗浄排水用配管の途中にpH調節機を設けても、該洗浄排水が偏流状態でpH調節機内を流下するため、所定の効果を得にくく、また固形pH調節剤たる中和剤も均等に消耗しないで不必要に消費量が多くなることがあった。
さらに透析機器の洗浄排水用配管途中に設けられることから、時としてpH調節機内に透析機器洗浄排水が溜まったまま放置される場合があり、透析機器洗浄排水に浸かったままの固形中和剤を溶解させやせ細らせていた。
【０００５】
本発明は上記問題点を解決するもので、比較的簡単な構造ながら大型化に対応でき、維持管理も容易で、中和剤の不必要な消耗を減らし、透析機器の洗浄排水を安定的に且つ確実に排水処理できる透析機器洗浄排水の中和処理装置を提供することを目的とする。
【課題を解決するための手段】
【０００６】
前記目的を達成すべく、請求項１に記載の発明の要旨は、塔内の下部に水切り用簀子板を設け、該簀子板の下方の塔底部に液流出管を設けると共に、塔上部に透析機器の洗浄排水を散水する液分布器を設けた塔本体(１)と、水に溶解して酸性又はアルカリ性を呈する粒状物にして、前記簀子板上に充填される固形の中和剤(２)と、を具備し、該中和剤を濡らすように前記液分布器から透析機器の洗浄排水を散水して流下させ、該中和剤の溶解により中和処理をなすことを特徴とする透析機器洗浄排水の中和処理装置にある。
請求項２に記載の発明の要旨は、塔内の下部に水切り用簀子板を設け、該簀子板の下方の塔底部に液流出管を設けると共に、塔上部に透析機器の洗浄排水を散水する液分布器を設けた塔本体(１)と、水に溶解してアルカリ性を呈する粒状物にして、前記簀子板上に充填される固形の中和剤(２)と、透析機器の洗浄排水用本管の途中に設けられる開閉弁(３)と、該開閉弁よりも上流側の前記本管から略水平又は下降傾斜して分岐し前記液分布器へ導く上流側分岐管(４)と、前記液流出管から水平又は下降傾斜して前記開閉弁よりも下流側の前記本管へと接続する下流側分岐管(５)、又は前記液流出管から略水平又は下降傾斜して雑排水管へと接続する下流側分岐管(５)と、を具備し、前記中和剤を濡らすように前記液分布器から透析機器の洗浄排水を散水して流下させ、該中和剤の溶解により中和処理をなすことを特徴とする透析機器洗浄排水の中和処理装置にある。
請求項３の発明たる透析機器洗浄排水の中和処理装置は、請求項２で、中和剤が水酸化マグネシウム又は酸化マグネシウムを主成分とする粒状物からなり、且つ前記液分布器がパイプの下面側に透孔を多数形成した液分配管からなることを特徴とする。
請求項４の発明たる透析機器洗浄排水の中和処理装置は、請求項３で、塔本体の外形をその正面板の縦横長さに比べ奥行き幅が狭い略方形体に形成し、且つ該塔本体の外形の奥行き幅の略中間地点を一直線状に１本の前記液分配管が横断するよう配設されてなることを特徴とする。
【０００７】
請求項１の発明のごとく、塔内の下部に水切り用簀子板を設け、該簀子板の下方の塔底部に液流出管を設けると共に、塔上部に透析機器の洗浄排水を散水する液分布器を設けた塔本体(１)と、水に溶解して酸性又はアルカリ性を呈する粒状物にして、前記簀子板上に充填される固形の中和剤(２)と、を具備し、該中和剤を濡らすように前記液分布器から透析機器の洗浄排水を散水して流下させ、該中和剤の溶解により中和処理をなすと、透析機器の洗浄排水管のラインから別個独立して塔本体を設置できるので、簡単な構造ながら透析機器の洗浄排水量が大なるものに対してもたやすく対応できる。また維持管理も楽に対応できる。中和剤は充填塔形式で簀子板上に充填され、該簀子板によって水切りされるので、中和剤の不必要な消耗を減らす。透析機器の洗浄排水を安定的に且つ確実に処理できる。
請求項２の発明のごとく、透析機器の洗浄排水用本管の途中に設けられる開閉弁(３)と、該開閉弁よりも上流側の前記本管から略水平又は下降傾斜して分岐し前記液分布器へ導く上流側分岐管(４)と、前記液流出管から水平又は下降傾斜して前記開閉弁よりも下流側の前記本管へと接続する下流側分岐管(５)、又は前記液流出管から略水平又は下降傾斜して雑排水管へと接続する下流側分岐管(５)と、を具備すると、重力落差を利用して透析機器の洗浄排水を簡単に処理できる。請求項３の発明のごとく、中和剤が水酸化マグネシウム又は酸化マグネシウムを主成分とする粒状物からなると、酸中和処理中にアクが出ず、且つ粒径も適度な大きさで、作業性,取扱いに優れたものとなる。前記液分布器がパイプの下面側に透孔を多数形成した液分配管からなると、液分布器がシンプルになる。請求項４の発明のごとく、塔本体の外形をその正面板の縦横長さに比べ奥行き幅が狭い略方形体に形成し、且つ該塔本体外形の奥行き幅の略中間地点を一直線状に１本の前記液分配管が横断するよう配設されると、中和処理装置の構造を簡素化できる。
【発明の効果】
【０００８】
本発明の透析機器洗浄排水の中和処理装置は、比較的簡単な構造にして透析機器の洗浄排水処理量が増えても容易に装置化でき、更に維持管理が楽で中和剤の不必要な消耗を減らし、加えて低コストで透析機器の洗浄排水を安定的に且つ確実に排水処理できるなどの優れた効果を発揮する。
【発明を実施するための最良の形態】
【０００９】
以下、本発明に係る透析機器洗浄排水の中和処理装置(以下、単に「中和処理装置という。)について詳述する。図１〜図６は本発明の中和処理装置の一形態で、図１は透析機器の洗浄排水用本管に接続してなる中和処理装置の概略正面断面図、図２は図１の側面図、図３は(イ)が図１のI-I線矢視図で(ロ)が液分布器の横断面図で(ハ)が塔本体の上蓋周りの拡大図である。図４は上蓋を外した中和処理装置の平面図、図５は液分布器周りの拡大図、図６は図１〜図５と別態様の透析機器の洗浄排水用本管、雑排水管との接続例を示す中和処理装置の説明図である。尚、図５は液分散板の図示を省く。
【００１０】
中和処理装置は塔本体１と中和剤２と開閉弁３と上流側分岐管４と下流側分岐管５とを備える(図１)。
塔本体１は塔内に中和剤２を充填して透析機器の洗浄排水６を中和処理する装置の本体部分である。正面板１０ａと背面板１０ｂと側板１０ｃと底板１０ｄとで上面開口の有底筒状体に形成され、上面開口を上蓋１０ｅで開閉自在にして塔本体１の外壁シェルが形成される。本実施形態は図３,図４のごとく塔本体１の外形をその正面板１０ａの縦横長さに比べ奥行き幅Ｗが狭い略方形体に形成する。底板１０ｄは側面視が図３のごとく中央下部に向けてコーン状に狭まり、塔内に注がれた洗浄排水６が中央下部に集まるようにする。正面板１０ａ,背面板１０ｂの下縁は、スカート縁として該中央下部より下に延び、それらの下端部分にレベル調節具ＬＴを取付けて、塔本体１が床ＧＬに立設する。
【００１１】
該塔本体１に係る塔内の下部には水切り用簀子板１１が設けられ、該簀子板１１の下方の塔底部１ｂに液流出管１２が設けられると共に、塔上部１ｃには透析機器の洗浄排水６を散水する液分布器１４が設けられる。本実施形態は、さらに一側板１０ｃ寄りの塔内部で、該側板１０ｃに沿って液分布器１４から簀子板１１に至る所まで仕切板１０ｆが立設し、液分布器１４から簀子板１１に至る塔内は、該仕切板１０ｆにより中和剤２が充填される室とオーバーフロー室とに区画化される。中和剤２が充填される室の横断面は、中和剤２の充填層が存在しても、透析機器の洗浄排水６が速やかに流下するに十分な断面積が確保される。尚、前記オーバーフロー室は、中和剤２が経時変化で透析機器洗浄排水６に溶解し小さくなったり不溶物で充填層に沈着したりして、充填層が目詰まり状態になる万一の場合に備えるものである。中和剤２の充填層が詰まってもオーバーフロー室に洗浄排水６をバイパスさせて対処できるようにする。
符号１８は液分布器１４の若干下方で塔内を横断敷設される多孔板からなる液分散板を示す。液分散板１８は中和剤２が充填される室の方だけに設けられる。液分散板１８は必要に応じ設けられる。該液分散板１８を設けることによって、簀子板１１上に充填される中和剤２に対し、液分布器１４だけによる透析機器洗浄排水６の散水よりも一段と散水６１の均等分配が進み、透析機器洗浄排水６の一層確実な中和処理をなす。符号１９ｂは塔上部１ｃの内壁に固着する受部材で、液分散板１８を支持する。
【００１２】
透析機器の洗浄排水用本管９が図１のごとく塔本体１近くで垂直方向に配設されており、塔上部１ｃ側寄りの高さの地点に開閉弁３が設けられる。そして、透析機器の洗浄排水用本管９の途中に設けられるこの開閉弁３よりも上流側に位置する本管９から上流側分岐管４が分岐して前記液分布器１４とつながる。また、前記開閉弁３よりも下流側に位置する本管９から下流側分岐管５が分岐して前記液流出管１２と接続する。上流側分岐管４は本管９から液分布器１４へほぼ同レベルの高さでほぼ水平配設されるが、本管９から液分布器１４へは透析機器洗浄排水６を流れ易くすべく下降傾斜をつけて配設するとより好ましくなる。下流側分岐管５は本管９から液流出管１２へほぼ同レベルの高さでほぼ水平配設されるが、本管９から液流出管１２へは透析機器洗浄排水６を流れ易くすべく上昇傾斜をつけて配設するとより好ましくなる。すなわち、下流側分岐管５は液流出管１２から下降傾斜して開閉弁３よりも下流側の本管９へ接続することによって透析機器洗浄排水６が重力落差で円滑に流れ落ちる。尚、上流側分岐管４,下流側分岐管５は本管９から分岐するＴ型継手の所で、図１のごとく一旦立ち上がるようにする。開閉弁３が開のときに、透析機器洗浄排水６が不用意に中和処理装置の方へ流れ込まないようにするためである。符号９２は本管ライン上で、上流側分岐管４が分岐する地点から開閉弁３までの上流側短管である。該短管は開閉弁３が閉のとき透析機器洗浄排水６が溜まる所になるので短くする方がよい。符号９３は本管ライン上で、開閉弁３から下流側分岐管５が本管９に合流する地点までの下流側短管を示す。
【００１３】
前記簀子板１１は多孔板や網の目状、或いは格子状として、水切りし得る通水性を有する平板状体又はグリッドである。ここでは金属製金網を平板状にした簀子板１１とする。塔底部１ｂから所定高さの塔下部１ａの内周壁に金属製角材からなる受部材１９ｂを固着し、該受部材に支持されるようにして簀子板１１が水平に載置される。簀子板１１の篩の目は固形粒状物たる中和剤２を載せることのできる大きさにする。
【００１４】
前記液流出管１２は塔内と導通するようにして塔底部１ｂから外方に突出するノズルで、ここでは底板１０ｄが形成する前記中央下部の高さレベルの塔本体１側板１０ｃに固着される。液流出管１２は透析機器洗浄排水６の本管９と略同径とする。符号１２ａは液流出管１２の先端に設けたフランジを示す。フランジ結合で液流出管１２は下流側分岐管５と連結して本管９とつながる。符号１３は該液流出管１２と対向する塔本体側板１０ｃに設けられる下部ノズル、符号１３ａは下部ノズル１３の先端に設けたフランジ、符号１３ｂは盲フランジを示す。液流出管１２と下部ノズル１３が一直線上にあり、盲フランジ１３ｂを外して定期点検,清掃等のメンテナンスがし易くなっている。
【００１５】
前記液分布器１４は塔上部１ｃに設けられる透析機器洗浄排水６の液分配器で、より詳しくは塔本体１内の簀子板１１上に充填される中和剤２の充填層にその上から透析機器の洗浄排水６を分散させて注水し得る液分配器である。ここでの液分布器１４は図３(ロ)のようにパイプの下面側に透孔１４１を多数形成した液分配管１４ａからなり、図１,図４のごとく塔本体１の奥行き幅Ｗの略中間地点を一直線状に１本の液分配管１４ａが横断するよう配設される。透孔１４１は中和剤２の充填層に略均等に散水できるようパイプ下面側に所定ピッチで設けられる。塔上部１ｃの側板１０ｃから突設する液分配管１４ａに係る導入ノズル１６は、その内端部分が塔内に収まる。また該導入ノズル１６と対向する塔上部１ｃの側板１０ｃに上部ノズル１５が突設し、該上部ノズル１５の内端部分が塔内に収まる。上部ノズル１５の内端は仕切板１０ｆを越え、中和剤２が充填される室内に達する。液分配管１４ａは図１のごとく両側板１０ｃ間の長さより若干小さめの管長で、導入ノズル１６の内端と上部ノズル１５の内端との間に嵌まる長さの透孔１４１付きパイプである。液分配管１４ａの両端をバンド締結することにより導入ノズル１６,液分配管１４ａ,上部ノズル１５が一直線につながる。透析機器洗浄排水６の本管９の上流部９１から上流側分岐管４,導入ノズル１６を経て、液分配管１４ａに導かれた透析機器の洗浄排水６は透孔１４１から散水となって、雨だれのごとく降り落ちる(図５)。塔本体１の奥行き幅Ｗが狭いため、１本の液分配管１４ａを通すだけで中和剤２の充填層上面に略均等に透析機器洗浄排水６を散水できる。中和剤２を濡らすように前記液分布器１４から透析機器洗浄排水６を散水して流下させ、該中和剤２の溶解により中和処理をなす。簀子板１１が水切りとなって、散水,流下する透析機器洗浄排水６を流し去る。中和剤２が不必要に透析機器洗浄排水６に長時間浸からないので、中和剤２のやせ細りや過度の溶解が起こる虞はない。導入ノズル１６,液分配管１４ａ,上部ノズル１５の管径は透析機器洗浄排水６の本管９の径と略同じとする。液分配管１４ａはパイプ径,パイプ長さを同じくして、透孔１４１の個数や大きさ、透孔１４１のピッチ配列等が違うタイプのものが適宜準備される。バンド１７ａ,１７ｂを外せば(図３のイの鎖線)、透孔１４１の個数や透孔１４１の大きさの異なる液分配管１４ａと容易に取り替えることができる。尚、液分配管１４ａはパイプを半割りにしてその半割り椀状部に透孔１４１を多数設けるものでもよい。
【００１６】
中和剤２は水に溶解して酸性又はアルカリ性を呈する粒状物にして、前記簀子板１１上に充填される固形物である。図１のごとく粒状中和剤２が液分散板１８近くまで充填される。透析機器洗浄排水６が酸性の場合、中和剤２には水に溶解してアルカリ性を呈する粒状物が用いられる一方、透析機器洗浄排水６がアルカリ性の場合、中和剤２には水に溶解して酸性を呈する粒状物が用いられる。
本実施形態は酢酸などの酸洗浄による殺菌洗浄がなされた透析機器洗浄排水６であり、中和剤２は水に溶解してアルカリを呈する水酸化マグネシウム又は酸化マグネシウム,炭酸カルシウム等の粒状物で、より好ましくは水酸化マグネシウム又は酸化マグネシウムを主成分とする粒状物２ａとする。海水法水酸化マグネシウムによって得られる粒径が３mm〜５mmの水酸化マグネシウム粒状物又はそれを所定温度で焼成した酸化マグネシウムを用い、具体的には宇部マテリアルズ株式会社製の水酸化マグネシウム粒状物を用いる。海水法水酸化マグネシウムは、「脱炭酸海水に消石灰乳を添加して生成されるが、その水酸化マグネシウムではコロイド状となり沈降及び洗浄が困難になるので、種晶循環を実施し、粒子を大きくして沈降性,濾過性の良い水酸化マグネシウムが得られる」(『１３３９８の化学商品』,化学工業日報社,１６５頁,１９９８)ことから、これを中和処理装置で用いても酸中和処理中にアク等が出ず、またその粒径も適度な大きさで、取扱いに優れたものとなっている。
【００１７】
尚、図３で符号１０ｅ１は上蓋１０ｅ内周に固着する当て部材、符号１０ｅ２は上蓋１０ｅに係る嵌合部、符号ｇはパッキンで、これらは補助塔上部１ｃへの上蓋１０ｅの開け閉めを容易にすると共に簡便且つ確実に蓋ができる構成にある。
【００１８】
次に、前記構成の中和処理装置を用いた透析機器洗浄排水の一処理方法について説明する。塔本体１の簀子板１１上に酸化マグネシウムからなる粒状の中和剤２を所定高さ充填し上蓋１０ｅで蓋をし、開閉弁３を開にしてスタンバイする。人工透析中の排水は本管上流部９１から上流側短管９２,開閉弁３,下流側短管９３,下流部９４へと、塔本体１を通らずにそのまま流下する。その後、人工透析が終了し、透析機器が洗浄,消毒される。そして、透析機器類の洗浄で酸性側に傾いた透析機器洗浄排水６が流されると、透析機器洗浄排水６の本管上流部９１で透析機器洗浄排水６が酸性側に変わったのを図示しない検出器が検知し、この検出信号が開閉弁３に伝達されて該開閉弁３を閉にする。酸性側に傾いた透析機器洗浄排水６は開閉弁３によって下流側短管９３に向かうのが阻止され、上流部９１から上流側分岐管４,導入ノズル１６を経て液分配管１４ａに入る。透析機器洗浄排水６は図５のように液分配管１４ａが緩衝器になってそこに一旦溜められる。液分配管１４ａが洗浄排水６の流量変動を吸収する。符号６２はその溜められた透析機器洗浄排水６の液面を示す。その一方で、液分配管１４ａに係るパイプの下面側には透孔１４１が多数形成されていることから、液分配管１４ａに溜められる透析機器洗浄排水６は同時進行で透孔１４１から散水６１となって垂れ落ちる。中和剤２の充填層に均等に散水できるよう透孔１４１が所定ピッチで設けられているので、該散水は中和剤２のほぼ全域を濡らすようにして流下し、その過程で中和剤２の溶解により酸性側に傾いていた透析機器洗浄排水６を中和処理していく。中和処理された水７は簀子板１１から流れ落ち、液流出管１２から下流側分岐管５を通って本管下流部９４へと向かう。塔本体１の横断面は洗浄排水６が速やかに流下するに十分な断面積が確保され、且つ簀子板１１の下に塔底部１ｂの空間を設けると共に簀子板１１が透析機器洗浄排水６の水を切るので、中和剤２が洗浄排水６に浸されることはない。中和剤２の不必要な消耗がない。
その後、酢酸などによる酸洗浄が終わると、水洗に変わる。すると、透析機器洗浄排水６の本管上流部９１でｐＨが中性に戻ったことを検出器が検知し、その検出信号を受けて開閉弁３が開になって、中性の洗浄排水６は本管上流部９１から開閉弁３を通って下流部９４に流下する。塔本体１を通過しない。中和処理装置は次なる酸性の透析機器洗浄排水６がくるのを待つこととなる。酸性側に傾いた透析機器洗浄排水６がまた流されると前述と同様の処理をし、透析機器洗浄排水６のｐＨの円滑な中和処理がなされていく。
【００１９】
図６は中和処理装置と透析機器洗浄排水本管９の接続を異にした別態様図である。透析機器の洗浄排水用本管９の途中に開閉弁３を設け、該開閉弁３よりも上流側の本管上流部９１から上流側分岐管４が下降傾斜して分岐し液分布器１４に接続する。また、下流側分岐管５が液流出管１２から下降傾斜して雑排水管Ｍ２へ接続する。液流出管１２,下流側分岐管５には透析機器洗浄排水６を処理した処理水７を流すので、開閉弁３の下流部９４に接続しなくても、一般雑排水管Ｍに接続できる。
【００２０】
このように構成した中和処理装置は、塔下部１ａに水切り用の簀子板１１を設けて該簀子板１１上に粒状中和剤２を充填すると共に、塔上部１ｃに液分配管１４ａを設置して酸性に傾いた透析機器洗浄排水６をこの液分配管１４ａに導き、該液分配管１４ａの透孔１４１から中和剤２の充填層に散水して流下させ、中和剤２の溶解により中和処理をなすので、透析機器洗浄排水量が多くなり装置が大きくなっても簡単に対応できる。ベッド数規模が大で透析機器の洗浄排水６の処理量が増せば、塔本体１の中和剤２が充填される断面積を大きな塔本体１にし、且つその断面積にほぼ均一に透析機器洗浄排水６が散水できるよう液分配管１４ａを設けることによって容易に対応できる。透析機器の洗浄排水６の流量に変動があっても、液分配管１４ａに一旦溜められるので、液分配管１４ａがバッファーになってその変動を吸収する。さらに透析機器洗浄排水６の流量に変動があっても、塔本体を横断するようにして所定ピッチで設けられた透孔１４１を通じて充填層上に散水されるので、偏流の虞はない。
そして、塔本体１が充填塔の構造にして、液分配管１４ａから降り落ちる透析機器洗浄排水６の散水は、粒状中和剤２を濡らしながら流下するので、その過程で中和剤２は中和処理に必要な分だけその散水に溶け込んでいく。簀子板１１が塔下部１ａの流下する透析機器洗浄排水６の水切り用として働く。液槽等のように液中に中和剤２が長く浸かることがないので、中和剤２が不必要に消耗されない。透析機器洗浄排水６を長期に亘って安定且つ確実に処理できる。
【００２１】
上流側分岐管４が開閉弁３よりも上流側の本管上流部９１から水平又は下降傾斜して分岐し液分布器１４に接続し、また下流側分岐管５が液流出管１２から水平又は下降傾斜して開閉弁３よりも下流側の本管下流部９４へと接続するか、又は液流出管１２から水平又は下降傾斜して雑排水管Ｍへ接続するので、重力落差を利用して透析機器洗浄排水６を難なく処理できる。透析機器洗浄排水６の処理に何ら動力を要しない。
【００２２】
また中和剤２に水酸化マグネシウム又は酸化マグネシウムを主成分とする粒状物を用いているので、中和剤２を濡らすように液分布器１４から透析機器洗浄排水６を散水して流下させることによって、中和剤２が適度に溶解し上手く中和処理ができる。水酸化マグネシウム又は酸化マグネシウムを主成分とする粒状物２ａを用いているので、天然岩石粒子等に比べ中和反応が速く、充填塔の充填物のごとく濡らすだけで十分となる。塔本体１内に充填する量も少なくて済む。海水法水酸化マグネシウムからなる中和剤２を用いると、粒子を大きくして沈降性,濾過性の良いものが得られることから、酸中和処理中にアクが出ず、且つ粒径も適度な大きさで、作業性,取扱いに一段と優れたものとなる。
さらに、塔本体１をその正面板１０ａの縦横長さに比べ奥行き幅Ｗが狭い略方形体に形成し、且つ該塔本体１の奥行き幅Ｗの略中間地点を一直線状に１本の前記液分配管１４ａが横断するよう配設しているので、塔本体１及び液分配管１４ａを簡単な構造にして、加えて中和剤２の充填層に透析機器洗浄排水６を均等散水し易くなる。奥行き幅Ｗが狭いので場所をとらず、少ない空きスペースでも図２のごとく建物壁に寄り添わせて本中和処理装置を設置できる。
【００２３】
尚、本発明においては、前記実施形態,実施例に示すものに限られず、目的，用途に応じて本発明の範囲で種々変更できる。塔本体１,中和剤２,上流側分岐管４,下流側分岐管５,透析機器洗浄排水６の本管９,雑配水管Ｍ等の形状,大きさ,材質,成分組成等は用途に合わせて本発明の範囲内で適宜選択できる。
【図面の簡単な説明】
【００２４】
【図１】本発明の透析機器洗浄排水の中和処理装置の一形態で、透析機器の洗浄排水用本管に接続してなる中和処理装置の概略正面断面図である。
【図２】図１の側面図である。
【図３】(イ)が図１のI-I線矢視図で、(ロ)が液分布器の横断面図で、(ハ)が塔本体の上蓋周りの拡大図である。
【図４】蓋を外した状態の中和処理装置の平面図である。
【図５】液分布器周りの拡大図である。
【図６】別態様の透析機器洗浄排水本管,雑排水管との接続例を示す中和処理装置の説明図である。
【符号の説明】
【００２５】
１          塔本体
１ａ        塔下部
１ｂ        塔底部
１ｃ        塔上部
１０ａ      正面板
１１        簀子板
１２        液流出器
１４        液分布器
１４ａ      液分配器
１４１      透孔
２          中和剤
２ａ        水酸化マグネシウム又は酸化マグネシウムを主成分とする粒状物
３          開閉弁
４          上流側分岐管
６          透析機器洗浄排水(洗浄排水)
５          下流側分岐管
９          透析機器洗浄排水の本管
Ｗ          奥行き幅  
【図１】
2006187683.tif 000003
【図２】
2006187683.tif 000004
【図３】
2006187683.tif 000005
【図４】
2006187683.tif 000006
【図５】
2006187683.tif 000007
【図６】
2006187683.tif 000008